(57)【要約】【課題】フィルタ清掃運転の途中で、フィルタ清掃運転が停止されることが続くと、フィルタに付着した塵埃を十分に除去することができず、空調性能が低下してしまう。【解決手段】この空気調和機では、リモートコントローラ２１の清掃運転停止スイッチ（停止手段）２３によって、フィルタ清掃運転が複数回連続して途中停止された場合、フィルタ清掃運転を促す表示が表示画面２４に表示される。【選択図】図７
2016125703.tif 000002
【特許請求の範囲】
【請求項１】
フィルタ清掃運転が可能な空気調和機であって、
フィルタ清掃運転を停止する停止手段を有しており、
前記停止手段によって、フィルタ清掃運転が複数回連続して途中停止された場合、フィルタ清掃運転を促す報知が行われることを特徴とする空気調和機。
【請求項２】
フィルタ清掃運転を開始する開始手段を有しており、
フィルタ清掃運転を促す報知が行われたあとで、前記開始手段によってフィルタ清掃運転が開始されない場合、フィルタ清掃運転が自動的に行われることを特徴とする請求項１に記載の空気調和機。
【請求項３】
空気調和機の運転操作を行うリモートコントローラを備え、
前記リモートコントローラは、表示画面を有しており、
フィルタ清掃運転を促す報知が前記表示画面に表示されることを特徴とする請求項１または２に記載の空気調和機。
【請求項４】
フィルタ清掃運転を促す報知が音声で行われることを特徴とする請求項１−３のいずれかに記載の空気調和機。
【発明の詳細な説明】
【技術分野】
【０００１】
本発明は、フィルタ清掃運転が可能な空気調和機に関する。
【背景技術】
【０００２】
従来から、吸込口から吸い込んだ室内空気に含まれる塵埃が熱交換器へと流れないように、熱交換器よりも風上側にフィルタが配置された空気調和機（室内機）が知られている。特に、近年では、フィルタに付着した塵埃を自動的に除去するフィルタ清掃機構を備えた空気調和機が提供されている。この空気調和機では、ユーザがフィルタを室内機から取り外してフィルタを清掃しなくても、フィルタ清掃機構によって自動的にフィルタを清掃できる。
【０００３】
また、特許文献１に記載の空気調和機では、空気調和機の運転操作を行うリモートコントローラが、フィルタ清掃運転を停止する停止ボタンを有しており、フィルタ清掃運転が行われているときに、停止ボタンが押されるとフィルタ清掃運転が停止されるようになっている。
【先行技術文献】
【特許文献】
【０００４】
【特許文献１】特許第４８３２２７９号
【発明の概要】
【発明が解決しようとする課題】
【０００５】
ところで、上記のような空気調和機では、フィルタ清掃運転の運転音が煩わしいなどの理由で、フィルタ清掃運転の途中でフィルタ清掃運転が停止される場合がある。しかし、フィルタ清掃運転の途中でフィルタ清掃運転が停止されることが続くと、フィルタに付着した塵埃を十分に除去することができず、空調性能が低下してしまう。
【０００６】
そこで、本発明の目的は、フィルタ清掃運転の途中でフィルタ清掃運転が停止されることが続く場合に、フィルタ清掃運転の実行を促すことができる空気調和機を提供することである。
【課題を解決するための手段】
【０００７】
第１の発明にかかる空気調和機は、フィルタ清掃運転が可能な空気調和機であって、フィルタ清掃運転を停止する停止手段を有しており、前記停止手段によって、フィルタ清掃運転が複数回連続して途中停止された場合、フィルタ清掃運転を促す報知が行われることを特徴とする。
【０００８】
この空気調和機では、フィルタ清掃運転が複数回連続して途中停止された場合に、フィルタ清掃運転を促す報知が行われるので、フィルタ清掃運転の途中でフィルタ清掃運転が停止されることが続く場合に、フィルタ清掃運転の実行を促すことができる。
【０００９】
第２の発明にかかる空気調和機は、第１の発明にかかる空気調和機において、フィルタ清掃運転を開始する開始手段を有しており、フィルタ清掃運転を促す報知が行われたあとで、前記開始手段によってフィルタ清掃運転が開始されない場合、フィルタ清掃運転が自動的に行われることを特徴とする。
【００１０】
この空気調和機では、フィルタ清掃運転を促す報知が行われたあとで、ユーザによってフィルタ清掃運転が開始されない場合、フィルタ清掃運転が強制的に行われるので、ユーザによってフィルタ清掃運転が開始されない場合でも、フィルタ清掃運転を実行できる。
【００１１】
第３の発明にかかる空気調和機は、第１または第２の発明にかかる空気調和機において、空気調和機の運転操作を行うリモートコントローラを備え、前記リモートコントローラは、表示画面を有しており、フィルタ清掃運転を促す報知が前記表示画面に表示されることを特徴とする。
【００１２】
この空気調和機では、フィルタ清掃運転を促す報知がリモートコントローラの表示画面に表示されるので、フィルタ清掃運転の必要性をユーザが視覚的に瞬時に認識することができる。
【００１３】
第４の発明にかかる空気調和機は、第１−第３のいずれかの発明にかかる空気調和機において、フィルタ清掃運転を促す報知が音声で行われることを特徴とする。
【００１４】
この空気調和機では、フィルタ清掃運転を促す報知が音声で行われるので、フィルタ清掃運転の進捗状況をユーザがより認識しやすい。
【発明の効果】
【００１５】
以上の説明に述べたように、本発明によれば、以下の効果が得られる。
【００１６】
第１の発明では、フィルタ清掃運転が複数回連続して途中停止された場合に、フィルタ清掃運転を促す報知が行われるので、ユーザにフィルタ清掃運転を促すことができる。
【００１７】
第２の発明では、フィルタ清掃運転を促す報知が行われたあとで、ユーザによってフィルタ清掃運転が開始されない場合、フィルタ清掃運転が強制的に行われるので、ユーザによってフィルタ清掃運転が開始されない場合でも、フィルタ清掃運転を実行できる。
【００１８】
第３の発明では、フィルタ清掃運転を促す報知がリモートコントローラの表示画面に表示されるので、フィルタ清掃運転の必要性をユーザが視覚的に瞬時に認識することができる。
【００１９】
第４の発明では、フィルタ清掃運転を促す報知が音声で行われるので、フィルタ清掃運転の進捗状況をユーザがより認識しやすい。
【図面の簡単な説明】
【００２０】
【図１】本発明の実施形態にかかる空気調和機の外観図である。
【図２】図１に示す空気調和機の断面図である。
【図３】図１に示す空気調和機の制御ブロック図である。
【図４】空気調和機の運転操作を行うリモートコントローラの正面図である。
【図５】図１に示す空気調和機のフィルタ清掃機構の動作を示す模式図であり、（ａ）は、清掃動作開始時、（ｂ）は、清掃動作終了時、（ｃ）は、戻し動作開始時、（ｄ）は、戻し動作終了時を示す。
【図６】清掃動作の途中でフィルタ清掃運転が停止される場合のフィルタ清掃機構の動作を示す模式図であり、（ａ）は、清掃動作開始時、（ｂ）は、清掃動作途中停止時、（ｃ）は、強制戻し動作開始時、（ｄ）は、強制戻し動作終了時を示す。
【図７】（ａ）は、フィルタ清掃運転を促す報知の第１表示例、（ｂ）は、フィルタ清掃運転を促す報知の第２表示例を示す図である。
【発明を実施するための形態】
【００２１】
以下、図面を参照しつつ、本発明の実施形態に係る空気調和機について説明する。
【００２２】
［室内機の全体構成］
図１に示すように、本実施形態における室内機（空気調和機）１は、全体として一方向に細長い形状を有しており、その長手方向が水平となるように室内の壁面に据え付けられる。室内機１は、図示しない室外機と冷媒配管を介して接続されて空気調和機を構成しており、室内の冷房運転及び暖房運転を含む空調運転に加えて、フィルタを自動で清掃するフィルタ清掃運転を行うことができる。この空気調和機は、リモートコントローラ２１の運転操作に基づいて制御される。なお、以下の説明において、室内機１が取り付けられる壁から突出する方向を「前方」と称し、その反対の方向を「後方」と称する。また、室内機１の長手方向を「左右方向」と称する。
【００２３】
図２に示すように、室内機１は、ケーシング２、フィルタ３、送風ファン４、熱交換器５、フィルタ清掃機構１０および電装品箱（図示省略）などを有している。フィルタ３、送風ファン４、熱交換器５、フィルタ清掃機構１０および電装品箱は、ケーシング２の内部に収容されている。
【００２４】
ケーシング２の上面には吸込口２ａが形成されており、ケーシング２の下面には吹出口２ｂが形成されている。吹出口２ｂの近傍には、上下方向の風向きの調整と、吹出口２ｂの開閉を行う水平フラップ７が配置されている。また、ケーシング２の前面は、前面パネル６によって覆われている。この前面パネル６は、上端側を支点にして、下端側がケーシング２に対して離れるように回動することによって、ケーシング２の前面を開く。
【００２５】
フィルタ３は、吸込口２ａに対向するように配置され且つ環状に形成されている。送風ファン４は、クロスフローファンであり、その軸方向が水平方向に沿うように配置されている。この送風ファン４は、上方から空気を吸い込んで、下方に吹き出すように構成されている。熱交換器５は、フィルタ３よりも風下側に設けられ、送風ファン４の前方、上方、及び後方を取り囲むように配置されている。
【００２６】
この室内機１では、空調運転時において、送風ファン４が駆動されることによって、室内空気が吸込口２ａから吸い込まれて、吸い込まれた空気は、フィルタ３を通過して空気中に含まれる塵埃が除去されたあと、熱交換器５において加熱または冷却されて、吹出口２ｂから吹き出されるようになっている。なお、フィルタ３は、空調運転時や停止時において、吸込口２ａ側に配置された上流側部分３ａと熱交換器５側に配置された下流側部分３ｂとを有しており、塵埃は主に上流側部分３ａの風上面に付着する。
【００２７】
フィルタ清掃機構１０は、フィルタ３を自動的に清掃するフィルタ清掃運転を実行するための機構である。このフィルタ清掃機構１０は、フィルタ３の前端の内側に配置されたローラ１１と、フィルタ３に付着した塵埃を除去するブラシ（塵埃除去手段）１２と、塵埃が貯留されるダストボックス１３とを有している。ブラシ１２は、ローラ１１の下方に配置され、フィルタ３に接触している。また、フィルタ３の後端の内側には回転軸１４が配置されている。ローラ１１には、ローラ１１を回転駆動するローラ駆動モータ１５が接続されている。
【００２８】
この室内機１では、ローラ駆動モータ１５によって、ローラ１１が回転駆動されることで、フィルタ３が移動する。これにより、フィルタ３に接触したブラシ１２によって、フィルタ３に付着した塵埃が除去される。
【００２９】
図３に示すように、室内機１は、電装品箱に収容された制御部２０を有している。制御部２０は、ローラ駆動モータ１５と電気的に接続され、空気調和機の運転操作を行うリモートコントローラ２１と通信可能である。リモートコントローラ２１は、図４に示すように、フィルタ清掃運転を開始する清掃運転開始スイッチ（開始手段）２２と、フィルタ清掃運転を停止する清掃運転停止スイッチ（停止手段）２３と、表示画面２４とを有している。制御部２０は、清掃運転開始スイッチ２２によってフィルタ清掃運転の開始操作がされた場合、または、空調運転終了後において所定の条件を満たした場合に、ローラ駆動モータ１５を駆動制御して、フィルタ清掃運転を開始する。また、清掃運転停止スイッチ２３によって、清掃動作の途中でフィルタ清掃運転の停止操作がされた場合、フィルタ清掃運転を停止する。所定の条件とは、例えば前回のフィルタ清掃運転終了後からの空調運転の総運転時間が所定時間を超えた場合や、前回の空調運転の連続運転時間が所定時間を超えた場合などである。
【００３０】
＜動作＞
次に、図５及び図６を参照してフィルタ清掃機構１０の動作について説明する。
【００３１】
まず、図５を参照して、フィルタ清掃運転が正常に行われる場合（途中で停止されることがない場合）について説明する。
【００３２】
図５（ａ）に示すように、フィルタ清掃運転が開始（実行）されると、フィルタ３の清掃動作が行われる。フィルタ３の清掃動作では、ローラ駆動モータ１５が駆動されることによって、ローラ１１が回転する。それにより、フィルタ３の上流側部分３ａがローラ１１で折り返されて下流側に向かい、フィルタ３の下流側部分３ｂが回転軸１４で折り返されて上流側に向かうように、フィルタ３が移動する。その結果、フィルタ３の上流側部分３ａに付着した塵埃がブラシ１２で掻き取られる。図５（ｂ）に示すように、フィルタ３が周長の略半分ほど移動すると、フィルタ３の清掃動作が完了し、フィルタ清掃運転が終了する。
【００３３】
図５（ｃ）に示すように、フィルタ清掃運転が終了すると、移動したフィルタ３を元の位置（フィルタ清掃運転が開始される前の初期位置）に戻す戻し動作が行われる。フィルタ３の戻し動作では、清掃動作時と反対方向にローラ駆動モータ１５が駆動されることによって、ローラ１１が清掃動作時と反対方向に回転する。それにより、フィルタ３が清掃運転時とは反対方向に移動する。図５（ｄ）に示すように、フィルタ３が周長の略半分ほど移動すると、フィルタ３の戻し動作が完了し、室内機１が停止する。
【００３４】
次に、図６を参照してフィルタ清掃運転が清掃動作の途中で停止される場合について説明する。
【００３５】
図６（ａ）に示すように、フィルタ清掃運転が開始（実行）されると、フィルタ３の清掃動作が行われる。フィルタ３の清掃動作では、ローラ駆動モータ１５が駆動されることによって、ローラ１１が回転する。それにより、フィルタ３の上流側部分３ａがローラ１１で折り返されて下流側に向かい、フィルタ３の下流側部分３ｂが回転軸１４で折り返されて上流側に向かうように、フィルタ３が移動する。その結果、フィルタ３の上流側部分３ａに付着した塵埃がブラシ１２で掻き取られる。ここで、図６（ｂ）に示すように、清掃運転停止スイッチ２３によって、清掃動作の途中で（フィルタ３の移動が開始されてからフィルタ３が周長の略半分ほど移動する前に）、フィルタ清掃運転が停止されて、フィルタ清掃運転が終了する場合がある。この場合、図６（ｃ）に示すように、フィルタ３を直ちに元の位置に戻す強制戻し動作が行われる。この強制戻し動作では、清掃動作時と反対方向にローラ駆動モータ１５が駆動されることによって、ローラ１１が清掃動作時と反対方向に回転する。それにより、フィルタ３が清掃運転時とは反対方向に移動する。図６（ｄ）に示すように、フィルタ３が元に位置に戻ると、フィルタ３の強制戻し動作が完了し、室内機１が停止する。したがって、フィルタ清掃運転が途中で停止される場合には、フィルタ３に付着した塵埃を全て除去できず、塵埃が十分に除去されない。
【００３６】
＜フィルタ清掃運転を促す報知＞
この室内機１では、図３に示すように、制御部２０が、停止回数判定部３１とタイマ部３２を有している。停止回数判定部３１は、清掃運転停止スイッチ２３によって、フィルタ清掃運転が２回連続して途中停止されたか否かを判定する。そして、停止回数判定部３１によって、フィルタ清掃運転が２回（複数回）連続して途中停止されたと判定された場合、制御部２０は、フィルタ清掃運転が２回連続して途中停止されたとの情報をリモートコントローラ２１に送信する。タイマ部３２は、フィルタ清掃運転が２回連続して途中停止されたあとからの時間を計測する。
【００３７】
フィルタ清掃運転が２回連続して途中停止されたとの情報がリモートコントローラ２１に送信されると、フィルタ清掃運転を促す報知が、リモートコントローラ２１の表示画面２４に表示される。図７（ａ）は、フィルタ清掃運転を促す報知の第１表示例である。第１表示例では、フィルタ清掃運転の時期が過ぎていることを表示する。これにより、ユーザに、フィルタ清掃運転の時期が過ぎているのにフィルタ清掃運転が行われていないことを報知できる。
【００３８】
図７（ｂ）は、フィルタ清掃運転を促す報知の第２表示例である。第２表示例では、リモートコントローラ２１の清掃運転開始スイッチ２２を操作してフィルタ清掃運転を開始することを促す報知が表示される。この第２表示例は、第１表示例の表示がされてしばらくすると表示される。これにより、ユーザに、フィルタ清掃運転の実行を促すことができる。
【００３９】
ここで、この室内機１では、フィルタ清掃運転が２回連続して途中停止されたと判定されてから（すなわち、フィルタ清掃運転を促す報知が表示されてから）、所定時間が経過するまでに、清掃運転開始スイッチ２２によって、フィルタ清掃運転が開始されない場合、フィルタ清掃運転が自動的（強制的）に開始される。その結果、ユーザによってフィルタ清掃運転が開始されない場合でも、フィルタ清掃運転が実行される。
【００４０】
なお、第２表示例の表示は、清掃運転開始スイッチ２２によって、フィルタ清掃運転が開始される、または、フィルタ清掃運転が強制的に開始されると消える。また、この室内機１では、第１表示例の表示が表示されて第２表示例の表示が表示されるが、第１表示例の表示のみが表示されてもよいし、最初から第２表示例の表示が表示されてもよい。
【００４１】
＜本実施形態の空気調和機の特徴＞
本実施形態の室内機（空気調和機）１には、以下の特徴がある。
【００４２】
本実施形態の室内機１では、フィルタ清掃運転が複数回連続して途中停止された場合に、フィルタ清掃運転を促す報知が行われるので、ユーザにフィルタ清掃運転を促すことができる。
【００４３】
また、本実施形態の室内機１では、フィルタ清掃運転を促す報知が行われたあとで、ユーザによってフィルタ清掃運転が開始されない場合、フィルタ清掃運転が強制的に行われるので、ユーザによってフィルタ清掃運転が開始されない場合でも、フィルタ清掃運転を実行できる。
【００４４】
また、本実施形態の室内機１では、フィルタ清掃運転を促す報知がリモートコントローラ２１の表示画面２４に表示されるので、フィルタ清掃運転の必要性をユーザが視覚的に瞬時に認識することができる。
【００４５】
以上、本発明の実施の形態について説明したが、本発明の具体的な構成は、上記実施形態に限定されるものでないと考えられるべきである。本発明の範囲は、上記実施形態の説明だけではなく特許請求の範囲によって示され、さらに特許請求の範囲と均等の意味および範囲内でのすべての変更が含まれる。
【００４６】
上述の実施形態では、図７（ａ）、（ｂ）に示すように、フィルタ清掃運転が複数回連続して途中停止された場合、フィルタ清掃運転を促す報知が行われる場合について説明したが、フィルタ清掃運転が複数回連続して途中停止された場合、室内機に設けられた音声報知手段（スピーカ）またはリモートコントローラに設けられた音声報知手段（スピーカ）から音声によって、フィルタ清掃運転を促す報知がされてもよい。
【００４７】
また、上述の実施形態では、フィルタ清掃運転を促す報知がされたあと、所定時間、清掃運転開始スイッチ（開始手段）によって、フィルタ清掃運転が開始されない場合は、フィルタ清掃運転が自動的（強制的）に開始される場合について説明したが、フィルタ清掃運転が自動的に開始されなくてもよい。
【００４８】
また、上述の実施形態では、フィルタ清掃運転を開始する清掃運転開始スイッチ（開始手段）２２、および、フィルタ清掃運転を停止する清掃運転停止スイッチ（停止手段）２３が、リモートコントローラ２１に設けられる場合について説明したが、開始手段および停止手段は室内機に設けられていてもよい。
【００４９】
また、上述の実施形態では、フィルタ清掃運転が２回連続して途中停止された場合に、フィルタ清掃運転を促す報知が行われる場合について説明したが、どのタイミングで、フィルタ清掃運転を促す報知をするかは適宜選択できる。例えば、フィルタ清掃運転が３回連続して途中停止された場合に報知してもよいし、４回以上連続して途中停止された場合に報知してもよい。
【００５０】
また、上述の実施形態では、フィルタ清掃機構１０が、ブラシ（塵埃除去手段）１２が固定され、フィルタ３が移動する構成である場合について説明したが、フィルタ清掃機構の構成はこれに限られない。例えばフィルタ清掃機構は、フィルタが固定され、ブラシが移動する構成であってもよい。
【産業上の利用可能性】
【００５１】
本発明を利用すれば、フィルタ清掃運転の途中でフィルタ清掃運転が停止されることが続く場合に、フィルタ清掃運転の実行を促すことができる。
【符号の説明】
【００５２】
１  室内機（空気調和機）
２１  リモートコントローラ
２２  清掃運転開始スイッチ（開始手段）
２３  清掃運転停止スイッチ（停止手段）
２４  表示画面
【図１】
2016125703.tif 000003
【図２】
2016125703.tif 000004
【図３】
2016125703.tif 000005
【図４】
2016125703.tif 000006
【図５】
2016125703.tif 000007
【図６】
2016125703.tif 000008
【図７】
2016125703.tif 000009